(57)【要約】      （修正有）【課題】高価な貼着型ブラジャーの表面に、美しい刺繍やフリルを表面に施した多様な色柄の安価な複数のカバー体を交換且つ着脱可能に取付けることにより、貼着型ブラジャーを豪華で美しいブラジャーに変身させ、下着のおしゃれを楽しむことができるカバー体を提供する。【解決手段】左右対称に形成した一対の本体の表面にそれぞれ装飾部を形成し、裏面の一側に、貼着型ブラジャーの一側に設けた輪環部に掛止する係止フックを取付け、同じくカバー体の裏面他側中央に、貼着型ブラジャーの接着部に着脱可能に接着させる係止帯片の一端を取付けて形成した。また、係止フックが、カバー体の一側に取付ける輪部と、貼着型ブラジャーの輪環部に掛止する爪部とからなり、爪部と並行する位置の輪部外側中央に突起部を設け、爪部先端に鉤部を内側に折曲げて形成した。【選択図】図２
0003108407.tif 000002
【実用新案登録請求の範囲】
【請求項１】
左右対称に形成した一対の本体（１１）表面にそれぞれ装飾部（１２）を形成し、裏面の任意個所若しくは略全体に連結部（１３）を具えて形成したカバー体（１０）を、貼着型ブラジャー（５０）の表面に着脱可能に取付けたことを特徴とする貼着型ブラジャー用カバー。
【請求項２】
前記連結部（１３）が、前記貼着型ブラジャー（５０）の輪環部（５４）に着脱可能に装着する係止フック（１４）と、同じくカバー体（１０）の裏面他側に一端を取付けて他端を前記貼着型ブラジャー（５０）の接着部（５２）に着脱可能に貼着させる係止帯片（２１）とからなることを特徴とする請求項１記載の貼着型ブラジャー用カバー。
【請求項３】
前記連結部が、テープ地により形成した取付板（３４）の表面にシリコン樹脂などの合成接着剤よりなる接着部（３５）を形成し、前記取付板（３４）をカバー体（３０）の裏面周縁全体、若しくは裏面周縁の複数個所に任意間隔で取付けたことを特徴とする請求項１記載の貼着型ブラジャー用カバー。
【請求項４】
前記連結部が、シリコン樹脂などの合成接着剤よりなる接着部（３９）で、この接着部（３９）をカバー体（３７）の裏面全体、若しくは裏面の複数個所に任意間隔で塗布して形成したことを特徴とする請求項１記載の貼着型ブラジャー用カバー。
【請求項５】
前記連結部が、ホック片（４３）で、該ホック片のいずれか一方の雌ホック（４４）をカバー体（４０）の裏面周縁の複数個所に取付け、前記貼着型ブラジャー（５０）の表面で前記雌ホック（４４）の取付け個所と一致する位置に、他方の雄ホック（４５）の裏面に取付けた接着部（４６）を接着し、互いの雌雄ホック（４４）（４５）をそれぞれ着脱可能に嵌合して取付けることを特徴とする請求項１記載の貼着型ブラジャー用カバー。
【請求項６】
左右対称に形成した一対の本体（１１）の表面にそれぞれ装飾部（１２）を形成し、裏面の一側に、貼着型ブラジャー（５０）の一側に設けた輪環部（５４）に掛止する係止フック（１４）を取付け、同じく裏面他側中央に貼着型ブラジャー（５０）の接着部（５２）に着脱可能に接着させる係止帯片（２１）の一端を取付けて形成したことを特徴とする貼着型ブラジャー用カバー。
【請求項７】
前記係止フック（１４）が、カバー体（１０）の一側に取付ける輪部（１５）と、貼着型ブラジャー（５０）の輪環部（５４）に掛止する爪部（１７）とからなり、該爪部と並行する位置の輪部外側中央に突起部（１６）を設け、爪部（１７）の先端に鉤部（１８）を内側に折曲げて形成したことを特徴とする請求項５記載の貼着型ブラジャー用カバー。
【考案の詳細な説明】
【技術分野】
【０００１】
本考案は、ブラジャー、特に肩ひもやベルト部のない貼着型ブラジャーに取付けるブラジャー用カバーに関する。
【背景技術】
【０００２】
従来より、女性の乳房の矯正や美しく見せるために使用されているブラジャーには、肩ひも付きのブラジャーや、肩ひもがなく胸をバンドで締め付けるブラジャー、さらには内面に貼着剤を塗布して形成したカップ片を直接乳房に貼付けて使用するいわゆるストラップレスブラジヤーなど多種多様なものが使用されている。
【０００３】
特に若い女性は夏季において肩をはだけた洋服を着用する場合が多く、肩ひも付きのブラジャーを着用すると肩ひもが露出し、いかにも下着が露出するようで見た目が良くない。
【０００４】
そのため、肩をはだけた洋服を着用する場合は肩ひもがない、いわゆるストラップレスブラジヤー（以下、貼着型ブラジャーという。）を着用する女性が多くなっている。特に、この貼着型ブラジャーは、肩ひもがないというだけではなく、簡単にバストのサイズや形状などを矯正して美しく見せることができるなどの多くの利点を有していることからも多くの女性に使用されている。
【０００５】
貼着型ブラジャー５０は、図６に示すごとく、一対のカップ本体５１の厚さや大きさを自由に形成することができる合成樹脂剤、例えばシリコン樹脂剤によって形成し、且つ、このカップ本体５１の裏面に接着部５２を設けて形成してある。この接着部５２は、洗えば何度でも繰り返し貼着することができる接着剤を使用し、カップ本体５１の表面には肌色に近い色、例えば、ベージュ色の織物または不織布等の布地で覆って形成してある。さらに、互いのカップ本体５１の内側に設けた輪環部５４に、カップ本体５１を乳房に貼着した後、互いのカップ本体５１を連結して谷間を形成するための連結フック５３を取付けて形成したものが知られている（参考文献１、２）。
【特許文献１】特開２００４−３１０２公報
【特許文献２】実用第３０９８０７５公報
【考案の開示】
【考案が解決しようとする課題】
【０００６】
しかし、前記貼着型ブラジャー５０は、カップ本体５１を高価な合成樹脂剤で形成し、裏面にも同じく高価な合成樹脂製の接着剤からなる接着部５２を使用して形成してあることから単価が高く、特に若い女性にとって、経済的に何組もの貼着型ブラジャーを買うことが困難である。また、貼着型ブラジャー５０の表面に被せたベージュ色の布地はカップ本体５１を保護し、着用した上着と接触する際の摩擦抵抗を防止するためのもので、ブラジャーの外観を美しく見せるための刺繍模様やフリルなどの装飾や、下着（パンティ）とコーディネイトしたりすることができないなどの問題点を有している。
【０００７】
そこで、本考案は、高価な貼着型ブラジャーの表面に、布地材の表面に美しい刺繍やフリルを表面に施して様な色柄に形成した安価な複数のカバー体を交換且つ着脱可能に取付けることにより、機能目的だけの貼着型ブラジャーを、簡単に豪華な美しいブラジャーに変身させることができると共に、パンティの色や柄とコーディネイトして下着のおしゃれを楽しむことができるカバー体を提供することを目的とする。
【課題を解決するための手段】
【０００８】
請求項１の考案は、左右対称に形成した一対の本体１１表面にそれぞれ装飾部１２を形成し、裏面の任意個所若しくは略全体に連結部１３を具えて形成したカバー体１０を、貼着型ブラジャー５０の表面に着脱可能に取付けたことを特徴とする。また、前記連結部１３が、前記貼着型ブラジャー５０の輪環部５４に着脱可能に装着する係止フック１４と、同じくカバー体１０の裏面他側に一端を取付けて他端を前記貼着型ブラジャー５０の接着部５２に着脱可能に貼着させる係止帯片２１とからなることを特徴とする。さらには、前記連結部が、テープ地により形成した取付板３４の表面にシリコン樹脂剤などの合成接着剤よりなる接着部３５を形成し、前記取付板３４をカバー体３０の裏面周縁全体、若しくは裏面周縁の複数個所に任意間隔で取付けたことを特徴とする。さらにはまた、前記連結部が、シリコン樹脂などの合成接着剤よりなる接着部３９で、この接着部３９をカバー体３７の裏面全体、若しくは裏面の複数個所に任意間隔で塗布したことを特徴とする。また、前記連結部が、ホック片４３で、該ホック片のいずれか一方の雌ホック４４をカバー体４０の裏面周縁の複数個所に取付け、前記貼着型ブラジャー５０の表面で前記雌ホック４４の取付け個所と一致する位置に、他方の雄ホック４５の裏面に取付けた接着部４６を接着し、互いの雌雄ホック４４、４５をそれぞれ着脱可能に嵌合して取付けることを特徴とする。
【０００９】
したがって、高価な貼着型ブラジャーを多数必要することなく、安価でそれぞれ異なる色柄の布地材の表面に多様な刺繍模様等の装飾部を設けて形成した複数のカバー体を、前記貼着型ブラジャーに交換且つ着脱可能に取付けることにより、貼着型ブラジャーを豪華で美しいブラジャーに変身させることができると共に、パンティの色や柄とをコーディネイトすることにより下着のおしゃれを楽しむことができる。
【００１０】
請求項６の考案は、左右対称に形成した一対の本体１１の表面にそれぞれ装飾部１２を形成し、裏面の一側に、貼着型ブラジャー５０の一側に設けた輪環部５４に掛止する係止フック１４を取付け、同じく裏面他側中央に貼着型ブラジャー５０の接着部５２に着脱可能に接着させる係止帯片２１の一端を取付けて形成したことを特徴とする。また、前記係止フック１４が、カバー体１０の一側に取付ける輪部１５と、貼着型ブラジャー５０の輪環部５４に掛止する爪部１７とからなり、該爪部と並行する位置の輪部外側中央に突起部１６を設け、爪部１７先端に鉤部１８を内側に折曲げて形成したことを特徴とする。
【００１１】
したがって、本体の一側に設けた係止フックを貼着型ブラジャーの輪環部に取付け、本体の他側に設けた係止帯片を貼着型ブラジャーの貼着部に取付けるだけで、カバー体を貼着型ブラジャーと一体的に取付けることができると共に、使用中にカバー体がずれたり外れたりすることがなく、また、貼着型ブラジャーを多様に変形させることができると共にパンティの色や柄とコーディネイトして下着のおしゃれを楽しむことができる。
【考案を実施するための最良の形態】
【００１２】
以下本考案の第１の実施の形態である第１カバー体を実施例の図面により説明すると、図１は貼着型ブラジャーにカバー体を装着した状態の正面図、図２は第１カバー体の裏面図、図３は貼着型ブラジャーの表面に第１カバー体を装着した状態の断面図、図４は係止フックを貼着型ブラジャーの輪環部に連結した状態の要部拡大平面図、図５は係止フックの正面図である。第１カバー体１０は、それぞれ赤、青、ピンクまたは黒色などに着色した布地材を貼着型ブラジャー５０の表面全体を覆うように湾曲させてそれぞれ左右対称に形成した一対の本体１１の表面に、各種形状の刺繍模様やレース模様のフリルを有した装飾部１２を形成し、裏面の左右両側にはそれぞれ貼着型ブラジャー５０に接続するための連結部１３を設けてある。
【００１３】
前記第１カバー体１０の連結部１３は、前記貼着型ブラジャー５０の連結フック５３の一端を留めてある輪環部５４に掛止する係止フック１４と、前記貼着型ブラジャー５０の裏面接着部５２に接着させる係止帯片２１とからなり、前記係止フック１４は、図５に示すごとく、本体１１に取付ける輪部１５と、貼着型ブラジャー５０の輪環部５４に掛止する爪部１７とにより形成されている。この係止フック１４には、爪部１７と並行に位置した輪部１５の外側中央に突起部１６と、爪部１７先端を内側に折曲げて鉤部１８を設けてある。
【００１４】
前記輪部１５の外側に突起部１６と爪部１７の先端に鉤部１８をそれぞれ設けたことにより、爪部１７を貼着型ブラジャー５０の輪環部５４に掛止したとき、突起部１６が輪環部５４の側面を押さえ、鉤部１８が輪環部５４の下端に引っかかって簡単に離脱するのを防止している。したがって、貼着型ブラジャーの表面に取付けた第１カバー体１０が使用中に外れるのを防止することができる。
【００１５】
以下、第１カバー体１０の作用について説明すると、第１カバー体１０は通常の肩ひも付きブラジャーと同様に安価な布地材によって形成することができるので、コストが安価で経済的であると共に、表面装飾部１２を刺繍模様やレースのフリルなど自由に形成することができるので用途に合わせて多様なバリエーションの第１カバー体１０を形成することができる。
【００１６】
ついで、第１カバー体１０を貼着型ブラジャー５０へ取付ける場合、図３、４に示すごとく、乳房へ装着する前の貼着型ブラジャー５０の輪環部５４に係止フック１４の爪部１７を挿通する。この爪部１７の先端に設けた鉤部１８と、輪部１５の一側に設けた突起部１６とで輪環部５４を押さえて引っ掛けるため、激しい動きをしても輪環部から爪部１７が外れることがないので安心して使用することができる。
【００１７】
さらに前記係止フック１４の爪部１７を輪環部５４に装着した後、第１カバー体１０の内側と貼着型ブラジャー５０の表面の位置とを合致させて密着させてから係止帯片２１を引っ張って貼着型ブラジャー５０の裏側に折り返して接着部５２に接着することにより簡単に装着することができる。
【００１８】
したがって、高価な貼着型ブラジャー５０の数が少なくとも、それぞれ色や形状または模様の相違する安価で経済的な複数の第１カバー体１０を複数揃えて、その日の気分や着る洋服またはパンティの色や柄にマッチした第１カバー体１０を貼着型ブラジャー５０に取付けるだけで簡単に豪華で美しいブラジャーに変身させることができ、さらには、第１カバー体１０の色とパンティの色とをコーディネイトすることにより多様なバリエーションの下着を楽しむことができる。
【００１９】
次に、本考案の第２の実施の形態である第２カバー体を実施例の図面により説明すると、第２カバー体３０は、前記第１カバー体と同様に赤、青、ピンクまたは黒色などに着色した布地材を貼着型ブラジャーの表面全体を覆うように湾曲させてそれぞれ左右対称に形成した一対の本体３１の表面に、各種形状の刺繍模様やレース模様などのフリルを有した装飾部（前記第１カバー体と同一であるためここでの説明を省略する）を設け、裏面の内周縁全体または任意個所に貼着型ブラジャー５０の表面に着脱可能に接着させる連結部３３を取付けてある。
【００２０】
この連結部３３は、図７、８に示すごとく、テープ状に形成した取付板３４の表面に接着部３５を形成し、この連結部３３の接着部３５を表側にして取付板３４を前記第２カバー体３０の内周縁全体、または、取付板３４を任意長さに切断して前記第２カバー体３０の裏面複数個所に任意間隔で接着または縫着して取付けてある。
【００２１】
この連結部３３の表面に塗布した接着部３５は、第２カバー体３０を何度洗っても接着力が劣化しない接着剤、例えば、シリコン樹脂製の合成接着剤を塗布してある。前記連結部３３は、裏面周縁だけでなく裏面全体に取付けてもよい。
【００２２】
ついで、第２カバー体３０の作用について説明すると、貼着型ブラジャー５０の表面に第２カバー体３０を合わせ、該第２カバー体の連結部３３の接着部３５を貼着型ブラジャー５０の表面に押付けて圧着するだけで簡単に取付けることができる。
【００２３】
第２カバー体３０の連結部３３を貼着型ブラジャー５０の表面に接着させて一体的に取付けることにより、外観上、貼着型ブラジャー５０の表面に第２カバー体１０が被さっているとは判らず第２カバー体形状の貼着型ブラジャーを形成することができる。さらには、第２カバー体３０の裏面と貼着型ブラジャー５０の表面とを複数個所で接着させてあるため、貼着型ブラジャー５０の使用時において第２カバー体３０がずれたり外れたりすることがなく使用することができる。
【００２４】
また、第２カバー体３０は、フック部や帯片を使用して取付ける手間を必要とせず、互いに張り合わせるだけで簡単に取付けすることができるので、第２カバー体３０の着脱交換が簡単で便利である。さらには、第２カバー体３０を貼着型ブラジャー５０から取り外す場合も、互いに引き離すだけで簡単に剥がすことができ、第２カバー体３０が汚れた場合、接着部３５はシリコン樹脂製の接着剤を塗布してあるため何度洗濯しても接着力が劣化することがない。
【００２５】
前記第１カバー体１０と同様に高価な貼着型ブラジャー５０の数が少なくとも、それぞれ色や形状または模様の相違する安価で経済的な複数の第２カバー体３０を複数揃えることにより、その日の気分や着る洋服またはパンティの色や柄にマッチした第２カバー体３０を貼着型ブラジャー５０に簡単に取付けることにより、豪華で美しいブラジャーに変身させることができるので多様なバリエーションの下着をコーディネイトして楽しむことができる。
【００２６】
本考案の第３の実施の形態である第３カバー体を実施例の図面により説明すると、第３カバー体３７は、前記第１カバー体１０と同様に赤、青、ピンクまたは黒色などに着色した布地材を貼着型ブラジャーの表面全体を覆うように湾曲させてそれぞれ左右対称に形成した一対の本体３８の表面に、各種形状の刺繍模様やレース模様などのフリルを有した装飾部（前記第１カバー体と同一であるためここでの説明を省略する）を設け、裏面の内面全体または任意個所に貼着型ブラジャーの表面に着脱可能に接着させる接着部３９を取付けてある。
【００２７】
この接着部３９は、図９に示すごとく、シリコン樹脂などの合成接着剤よりなる接着部で、該接着部を前記第３カバー体３７の裏面全体、若しくは裏面の複数個所に任意間隔で塗布して形成してある。
【００２８】
第３カバー体３０の作用について説明すると、貼着型ブラジャー５０の表面に第３カバー体３７を合わせ、該第３カバー体の接着部３９を貼着型ブラジャー５０の表面に押付けて圧着するだけで簡単に取付けることができる。
【００２９】
第３カバー体３７の接着部３９を貼着型ブラジャー５０の表面に接着させて一体的に取付けることにより、外観上、貼着型ブラジャー５０の表面に第３カバー体３７が被さっているとは判らず第３カバー体形状の貼着型ブラジャーを形成することができる。さらには、第３カバー体３０の裏面全体と貼着型ブラジャー５０の表面全体とを接着させてあるため、貼着型ブラジャー５０の使用中に第３カバー体３７がずれたり外れたりすることなく使用することができる。
【００３０】
前記第２カバー体３０と同様にフック部や帯片を使用して取付ける手間を必要とせず、互いに張り合わせるだけで簡単に取付けすることができるので、着脱交換を簡単に行えるので便利である。さらには、第３カバー体３７を貼着型ブラジャー５０から取り外す場合も、互いに引き離すだけで簡単に剥がすことができ、この第３カバー体３７が汚れた場合、接着部３がシリコン樹脂製の接着剤を塗布して形成してあるため何度洗濯しても接着力が劣化することがない。
【００３１】
この第３カバー体３７も前記第１、２カバー体１０、３０と同様に高価な貼着型ブラジャー５０の数が少なくとも、それぞれ色や形状または模様の相違する安価で経済的な複数の第３カバー体３７を複数揃えることにより、その日の気分や着る洋服またはパンティの色や柄にマッチした第３カバー体３７を貼着型ブラジャー５０に簡単に取付けることにより、豪華で美しいブラジャーに変身させることができるので多様なバリエーションの下着をコーディネイトして楽しむことができる。
【００３２】
本考案の第４の実施の形態である第４カバー体を実施例の図面により説明すると、第４カバー体４０は、前記第１カバー体１０と同様に赤、青、ピンクまたは黒色などに着色した布地材を貼着型ブラジャーの表面全体を覆うように湾曲させてそれぞれ左右対称に形成した一対の本体４１の表面に、各種形状の刺繍模様やレース模様のフリルを有した装飾部（前記第１カバー体と同様であるためここでの説明を省略する）を設け、裏面の内周縁の任意個所に貼着型ブラジャーの表面に着脱可能なホック片４３を取付けてある。
【００３３】
このホック片４３は、雌雄一対で互いに着脱可能に形成され、例えば、一方の雌ホック４４を図１０に示すごとく、第４カバー体４０の裏側周縁に任意間隔で縫着固定し、他方の雄ホック４５を貼着型ブラジャー５０の表面で前記雌ホック４４を取付けた位置とほぼ同じ位置に取付けて使用する。この雄ホック片５は、図１１に示すごとく、雄ホック４５の底面に両面接着テープからなる接着部４６の一面を接着し、他面を貼着型ブラジャー５０の表面に接着して使用する。
【００３４】
この第４カバー体４０の作用について説明すると、前記貼着型ブラジャー５０の表面に第４カバー体４０の裏面を合わせると共に、該第４カバー体の裏面に取付けた雌ホック４４とほぼ同位置に雄ホック４５の接着部４６を接着する。次いで、互いの雌ホック４４と雄ホック４５を嵌め合わせすることにより、貼着型ブラジャー５０の表面に第４カバー体４０を簡単で一体的に取付けることができる。
【００３５】
貼着型ブラジャー５０と第４カバー体４０とをホック片４３で留めることによりコストが安価で経済的な第４カバー体４０を形成することができ、且つ、この第４カバー体４０を貼着型ブラジャー５０にホック片４３で留めることにより第４カバー体４０が貼着型ブラジャー５０から外れたりずれたりすることを防止できる。
【００３６】
第４カバー体４０の取り外しは、第４カバー体４０と貼着型ブラジャー５０とを互いに引き離すだけで簡単にホック片４３を外すことができるので便利である。さらには、第４カバー体４０も前記第１、２、３カバー体と同様に高価な貼着型ブラジャー５０の数が少なくとも、それぞれ色や形状または模様の相違する安価で経済的な複数の第４カバー体４０を複数揃えることにより、その日の気分や着る洋服またはパンティの色や柄にマッチした第４カバー体を貼着型ブラジャーに取付けることにより、豪華で美しいブラジャーに変身させることができるので多様なバリエーションの下着をコーディネイトして楽しむことができる。
【００３７】
前記した第１、２、３、４カバー体１０、３０、３７、４０の連結部または接着部として使用した接着手段は、前記した手段に限らず、面ファスナーや両面テープを使用して形成することができるのは勿論である。
【図面の簡単な説明】
【００３８】
【図１】貼着型ブラジャーにカバー体を装着した状態の正面図である。
【図２】第１カバー体の裏面図である。
【図３】貼着型ブラジャーの表面に第１カバー体を装着した状態の断面図である。
【図４】係止フックを貼着型ブラジャーの輪環部に連結した状態の要部拡大平面図である。
【図５】係止フックの正面図である。
【図６】貼着型ブラジャーの裏面図である。
【図７】第２カバー体の裏面図である。
【図８】第２カバー体に取付ける連結部片の断面図である。
【図９】第３カバー体の裏面図である。
【図１０】第４カバー体の裏面図である。
【図１１】第４カバー体に取付ける連結部片（雄ホック）の断面図である。
【符号の説明】
【００３９】
１０  第１カバー体
１１  本体
１２  装飾部
１３  連結部
１４  係止フック
２１  係止帯部
３０  第２カバー体
３３  連結部
３４  取付板
３５  接着部
３７  第３カバー体
３８  本体
３９  接着部
４０  第４カバー体
４３  ホック片
４４  雌ホック
４５  雄ホック
４６  接着部
【図１】
0003108407.tif 000003
【図２】
0003108407.tif 000004
【図３】
0003108407.tif 000005
【図４】
0003108407.tif 000006
【図５】
0003108407.tif 000007
【図６】
0003108407.tif 000008
【図７】
0003108407.tif 000009
【図８】
0003108407.tif 000010
【図９】
0003108407.tif 000011
【図１０】
0003108407.tif 000012
【図１１】
0003108407.tif 000013